(57)【要約】      （修正有）【課題】安定して片手で操作使用しやすい電動リベッターのキャップ構造補助装置を提供する。【解決手段】ヘッド３０の定位置補助用のキャップ構造であり、キャップ本体１０によってシリンダー本体３１の後端を完全に被覆し、向かい合うスライド孔フレーム１１に延伸して固定フレームを通し、キャップの取付け構造によって自由にガンの取付けをしやすくすることができ、スライド孔フレーム１１全体と固定フレームとの間を、相互に挿入して被覆するようにし、その結合部を伸縮調整することで、安全且つスムーズな実用効果を備える。固定ボルト２１がはめ込み式であることによって、キャップ本体１０を前に押してシリンダー本体３１の後端に引っ掛けて被覆した後、固定ボルト２１の外側のナット２２によって直接固く固定でき、伸縮調整による固定を達成することができ、ヘッド３０の取付けの定位置を確定できる。【選択図】図３
0003213771.tif 000002
【実用新案登録請求の範囲】
【請求項１】
動力を供給するシリンダー本体と、底部の握って持つために用いるグリップと、シリンダー本体から伸びた前端及びヘッドを相互に挿入して繋げる伝動構造と、シリンダー本体の定位置にヘッドを固定させる一セットのキャップ構造と、からなる電動リベッターのキャップ構造補助装置であって、そのキャップ構造はキャップ本体とスライド孔フレームと固定フレームを備え、
キャップ本体の一端は、カバー枠とする円弧端を呈し、スライド孔フレームには、延伸して向かい合う空洞部スライド孔が設けられるとともに、フレーム本体の内側及び外側のフレームの表面に向かい合うスライド長孔を設け、フレーム本体の内側のスライド孔の先端には、口径の大きな通り穴が設けられ、キャップ本体の底部の両側が下に向かって延伸してなる向かい合う突縁片は、底側の挿し込み溝を形成し、  
固定フレームは、前縁が弧形のトップレバーで連結されることによって連結された状態の固定フレームを構成し、固定フレームの両側のフレームバーの前端にそれぞれ端孔が設けられ、ボルトをヘッドの両側のボルト穴に取付け固定し、固定フレームの両側のフレームバーの他端にそれぞれ向かい合った内側に凹んだ段階穿孔が設けられ、固定フレームのフレームバーをスライド孔フレームの空洞部の内部に延伸して挿入した後、スライド孔フレームの内側によってボルトを内から外に向かって通し固定させ、固定ボルトの先端を前記段階穿孔内にはめ込み、外側はナットで適切に固定を行い完全なキャップ構造形態を完成させ、
固定フレーム前端をヘッド両側のボルト穴に固定した後、キャップ本体及び固定フレームを相互に挿入することによって取付けの伸縮調整をし、それにより、キャップ本体の弧形のフレームの内縁がシリンダー本体の後端の位置を被覆し支えるようにし、キャップ本体の底部両側に延伸した突縁片は、シリンダー本体の底部のグリップの両側側面に直接引っ掛けられ、それによりキャップを取り付けた後の両側を固定させ、また、スライド孔フレームの外側にあるナットの固定で補助することで、ヘッドが確実にシリンダー本体と一体構造を構成させ、片手で安全に制御使用しやすいという目的を達成することを特徴とする、電動リベッターのキャップ構造補助装置。
【請求項２】
固定フレームのフレームバーの一端に設けられた段階穿孔の凹みの内側の縁は、一辺または多角形状の位置決め側面構造であることを特徴とする、請求項１に記載の電動リベッターのキャップ構造補助装置。
【請求項３】
キャップ本体を被覆する円弧端の内側は、カーブした切断面を備えた円弧錐面状であることを特徴とする、請求項１に記載の電動リベッターのキャップ構造補助装置。
【請求項４】
スライド孔フレームの内側のフレームにあるスライド長孔の前端に大きい口径の通り穴を設け、固定ボルトを挿入する時、固定ボルトのヘッドはスライド長孔を貫通させてフレーム空洞部の内部に挿入することを特徴とする、請求項１に記載の電動リベッターのキャップ構造補助装置。
【請求項５】
ヘッド内部のスライド軸受の内側の表面には、溝が設けられるとともに、錐形ヘッドの延長した端にまで延伸して連通し、スライド部は直接ヘッドによって延長した端の内側に向かって挿入取付けをし、外側は錐形のヘッドナットで取付け固定することによって、スライド部の交換取付け操作がしやすいことを特徴とする、請求項１に記載の電動リベッターのキャップ構造補助装置。
【考案の詳細な説明】
【技術分野】
【０００１】
本考案は、キャップ本体の一端に円形の被覆を設け、他端を両側のスライド孔フレームに延伸させ、挿入した一端を直接ヘッド両側に固定した固定フレームに固定させ、リベッターシリンダー本体の後端を直接キャップ本体で被覆することで、ヘッドをシリンダー本体と一体として固定させ、片手で安全に操作使用するという目的を達成することができる電動リベッターのキャップ構造補助装置に関する。
【背景技術】
【０００２】
従来のリベッターガンのヘッドの定位置取付けについて、米国特許第ＵＳ７、０９３、３６５Ｂ２号明細書のリベッターカバーの設計のように、両側に伸縮調整できる長方形のフレームを備えることによって、シリンダー本体の外側、中段を覆い、弾性位置決め雄部品によってシリンダー本体の外縁を挟み固定し、固定モジュールを定点に接触させ、その伸びた後端をそれぞれボルトでガンのヘッド両側に固定し、向かい合う両側のフレームを伸縮調整してリベットシリンダー本体の両側を覆い、さらにシリンダー後端の外側によって、フレーム固定モジュールで対応するフレームの後端を固定し、中段は弾性雄部品フレームによって定位置で支え、ヘッド及びシリンダー本体を固定させ連結したフレーム構造にし、リベッター操作使用時に、片手で握って制御及び使用することを可能にし、それによってヘッドを定位置に固定させる設計ができる。一体として固定させる実用効果を備えるが、実際の取付け固定の操作時に、使用者が最も不便だと感じるのは、主に両側の中間に設けられた弾性雄部品及びシリンダー本体の側面で、後端のボルトでそれぞれ固定され、シリンダー本体の両側側面に取付け固定している状態において、伸縮フレームに適切に定位置に固定されないことである。装着時両側に傾斜がある場合、装着強度に違いが生じ、特に公告の図２が示すように反転して握った時、少しの不注意によりまたは後端がぶつかったことにより、シリンダー本体の後端部分で、ヘッドのボルトを軸心として固定すると、直接下に向かって回転して滑り落ちて、操作使用時に危険な状況を発生させる可能性がある。その原因は詰まるところ、主に単純に両側を挟んで固定し、筒状のシリンダー本体に密着させて固定するため、密着が完全に確実ではない虞があり、特にリベッターの操作において、機具は振動するため、常に滑り落ちる虞があり、如何にして確実に取付け固定ができる補助装置を開発し、作業の安全性及び連続性を考慮して、さらに一歩進んだ研究開発の必要があり、作業の実際的な安全使用性の必要に基づいて、本開発設計がなされた。
【０００３】
本考案者は、従来のリベッターガンヘッドの定位置固定の設計、またその使用に派生する実用性の欠点に鑑みて、新たに設計を改良し、本考案の電動リベッターのキャップ構造補助装置を開発し、円弧形のヘッドを備えた被覆の一セットのフレーム式キャップ本体、つまり、両側が延伸したスライド孔フレーム、ヘッドを固定させる固定フレーム、一端をスライド孔フレームに挿入しモジュールをスライドさせて伸縮調整し、その一端をヘッドの両側に固定させ、後端を円弧形のヘッドによってフルカバー式被覆によって、従来の被覆において不足する部分、また、それに派生する取付け固定装置の実用安全性に関して不足する欠点を効果的に改善する。
【先行技術文献】
【特許文献】
【０００４】
【特許文献１】米国特許第ＵＳ７、０９３、３６５Ｂ２号明細書
【考案の概要】
【考案が解決しようとする課題】
【０００５】
本考案は、ガンヘッド及びシリンダー本体を安全且つ安定した取付け固定することができる、電動リベッターのキャップ構造補助装置を提供することを目的とする。
【課題を解決するための手段】
【０００６】
本考案は、キャップ本体の一端の円弧状のヘッド部分を完全に覆い、底部を対応する突縁片に延伸させ、シリンダー本体が延伸した柄體の両側に直接?抵によって、完全な被覆取付けを形成し、両側スライド孔フレームを簡便に固定フレームに挿入させ、ヘッド両側を固定させ使キャップ本体を内側に設けられた錐弧形の曲面によって、確実に各種シリンダー本体の後端に密着させ、安全で安定した被覆固定を達成し、ガンヘッド及びシリンダー本体の安全な連結した取付けを提供し、簡単に握り持つことができるという実用効果及び目的を達成する。
【図面の簡単な説明】
【０００７】
【図１】定位置キャップ構造の取付け分解の参考図である。
【図２】定位置キャップ構造の取付け外観の参考図である。
【図３】ヘッドの定位置キャップの取付け断面参考図である。
【図４】リベッター操作時のキャップの取付け概略参考図である。
【図５】キャップを使用してリベッターを操作した状態を示す外観取付け参考図である。
【図６】ブラインドナットに使用されたキャップの固定概略参考図である。
【図７】電動カッターに使用されたキャップの取付け概略参考図である。
【図８】リベッターヘッドの取付け分解概略参考図である。
【図９】リベッターヘッドのスライド部取付け概略参考図である。
【考案を実施するための形態】
【０００８】
図１から図５に示すように、一般的な電動リベッター機具を使用実施例とすると、本考案による電動リベッターのキャップ構造補助装置の構造は、一つのキャップ本体１０と、スライド孔フレーム１１を備え、キャップ本体１０は、その一端がカバー枠とする円弧端を呈するとともに、内側は、カーブした切断面を備えた円弧錐面を形成し、スライド孔フレーム１１には、延伸してなる二つの向かい合う空洞部が設けられるとともに、フレーム本体の内側及び外側のフレームには、向かい合うスライド長孔１２がそれぞれ設けられ、且つスライド長孔１２の内側のスライド孔前端に口径の大きな一つの通り穴１２１が設けられる。固定フレーム２０を挿し込む時、通り穴１２１に固定ボルト２１を挿し込んで繋げ、そのボルトの先端部はスライド孔フレーム１１の空洞部の内部に穿通してはめ込まれ、外側のナット２２で適切に固定させることによって完全なキャップ構造を完成させる。また、固定フレーム２０の前方の縁に、対応して円弧形のトップレバー２３を設けて繋げ、一体的な固定フレームユニットを構成することによって、リベッティングがしやすく且つ操作時に楽に持つことができる。さらに、固定フレーム２０の前方両端に、それぞれ端孔２４を設け、ボルト２５をヘッド３０の両側のボルト穴に取付け固定をする。固定フレーム２０に向かい合って延伸したフレームの他端に内側にそれぞれ向かい合わせに段階的に位置を定められる側面設計を備えた段階穿孔２６を設け、またそこに、一辺または多角形の窪んだ孔縁を設け、固定フレーム２０の延伸したフレームの端をスライド孔フレーム１１の空洞部の内部に挿し込んでから、スライド孔フレーム１１の内側から固定ボルト２１を内から外に向かって挿入し、そのボルトの先端を前記階級穿孔２６内に挿してはめ込み、予め設けた一辺または多角形の孔縁によって留め、ナット２２を取付け固定する時にフレーム全体が動くことを防止する。またスライドするモジュールを誘導するため、キャップ本体１０の両側のスライド孔フレーム１１及び固定フレーム２０を相互に挿入して長さを伸縮調整して、キャップ本体１０がシリンダー本体３１を被覆するようにして、それと同じ高さの位置にした後、さらにキャップ本体１０が外側から前に向かってシリンダー本体３１の後端を覆うようにして、また、キャップ本体１０円弧形の枠の内側の端が、シリンダー本体３１の後端の位置で直接押さえつけるようにし、さらに、キャップ本体１０の底部両側に延伸してなる突縁片１３を、直接シリンダー本体３１の底部に引っ掛けるとともに、グリップ３２の両側側面に延伸して、キャップを貫通するモジュールを形成した後に両側を固定する設計であり、延伸したスライド孔フレーム１１の外側のナット２２の固定をそれぞれ補助し、キャップ構造の一端及びヘッド３０を固定した後、確実にシリンダー本体３１を締めて固定することが可能であり、片手で安全にリベッターを操作使用できるという効果及び目的を達成できる。
【０００９】
本考案は、ヘッド３０の定位置補助用のキャップ構造であり、キャップ本体１０によってシリンダー本体３１の後端を完全に被覆し、向かい合うスライド孔フレーム１１に延伸して固定フレーム２０を通し、キャップの取付け構造によって自由にガンの取付けをしやすくすることができ、スライド孔フレーム１１全体と固定フレーム２０との間を、相互に挿入して被覆するようにし、その結合部を伸縮調整することで、安全且つスムーズな実用効果を備える。固定ボルト２１がはめ込み式であることによって、キャップ本体１０を前に押してシリンダー本体３１の後端に引っ掛けて被覆した後、固定ボルト２１の外側のナット２２によって直接固く固定でき、伸縮調整による固定を達成することができ、ヘッド３０の取付けの定位置を確定できる。また、キャップ本体１０が円弧形のキャップカバーであることによって、その錐弧形の内縁サイズが異なる角度及び弧度に合わせて密着させて固定しやすく、確実にしっかりとシリンダー本体３１の後端を覆うように取付ける。その底縁は突出した突縁片１３が形成するくぼんだ溝に対応し、押した時にグリップ３２の両側の外頂縁部に自動で止まり、自然にキャップ本体１０の差し込み取付けのズレを防止する効果を生じさせ、キャップ取付け構造によって、確実にヘッド３０及びシリンダー本体３１が絶対に対応して動くことがないようにし、キャップ構造全体が完全に覆われた状態の取付け設計を用いることで、固定取付け位置から絶対に外れないようにし、確実に操作安全性を確保でき、実用性という目的が達成可能である。キャップ全体を覆う固定方式は、取付け固定を安定させ且つ確実にするという長所を備え、一般的な電気駆動工具、空気駆動工具のシリンダー本体３１の制御操作においても、いずれも使用可能であり、図６、図７が示す実施例のように、ブラインドナットの操作におけるヘッド３３の固定、及び電動カッター３４の制御操作の使用においても、いずれも簡単にはめて用いることが可能であり、従来の同種のヘッド３０の定位置装置の設計に比べて、更に完全に安全且つ操作が簡便であるという実用的な効果が高く、同種の製品の構造より全く新しく且つ実用性を備えた創造設計である。  
【００１０】
さらに本考案内に示すリベッターヘッド３０の部分について、図８及び図９を参照する。その内部に設けられた金属スライド軸受３５の内周面に等間隔で誘導溝３６を設け、錐形のヘッドの後端まで延伸させ、またスライド部３７に対応して挿入して組み立てるのに用いる突起３８を設け、後端によって内に向かって組立て操作が直接でき、外側は錐形ヘッドナット３９で固定させることで、スライド部３７の取付けを大幅に簡略化でき、ヘッド３０を前方の後端側に伸ばして、スライド部３７を簡単に接合取付けしやすくなるだけでなく、更にジョー４０を内側に設置しやすくし、異なる口径のリベッター用リベット（一般的にそれぞれ大、小二種類の規格が設けられ、即ち一般的によく用いられるものは２〜５ｍｍの小型リベット、或いは大きなものは約６〜８．５ｍｍ径のチャック口径）を使用または摩耗した後、スライド部３７を簡単に取り外して、ジョー４０の交換及び取付けができる。このようにして、リベッター機具全体を使用することができ、キャップの定位置を確実に安全に使用した状況において、リベッターを更に操作しやすくかつ安全に使用できるという効果及び目的を達成することができる。
【符号の説明】
【００１１】
１０        キャップ本体
１１        スライド孔フレーム
１２        長いスライド孔
１２１      通り穴
１３        突縁片
２０        固定フレーム
２１        固定ボルト
２２        ナット
２３        トップレバー
２４        端孔
２５        ボルト
２６        段階穿孔
３０、３３  ヘッド
３１        シリンダー本体
３２        グリップ
３４        カッター
３５        スライド軸受
３６        溝
３７        スライド部
３８        突起
３９        錐形ヘッドナット
４０        ジョー
【図１】
0003213771.tif 000003
【図２】
0003213771.tif 000004
【図３】
0003213771.tif 000005
【図４】
0003213771.tif 000006
【図５】
0003213771.tif 000007
【図６】
0003213771.tif 000008
【図７】
0003213771.tif 000009
【図８】
0003213771.tif 000010
【図９】
0003213771.tif 000011